(57)【要約】      （修正有）【課題】保湿効果を得る為に水又は液剤を含浸させたあてものをマスク本体の内側に添わせ、シートが顔面に密着しないように保持具で保持し、不快感が無く楽に呼吸できるマスクを提供する。【解決手段】ほぼ半球状の面に形成したマスク本体１の両側に顔面を弾性挟持する挟持部２を延設し、ガーゼ、シート等のあてものを保持する保持具３を係止部材４、４ａで着脱自在に取り付けた。又クッション材７，８により顔面を保護し、鼻及び口に密着しない多目的マスクを提供する。使用時は挟持部を持って本体を押し広げて顔面を両側から弾性挟持させる。また、本体の横、両端を内側もしくは外側にカールして、耳かけ用の紐通し部を設け、マスク本体の内側に保持具を取り付けた。また、マスク本体の内側に沿って着脱可能に設けた透孔を有した保持具とでガーゼ、不織布等の任意のあてものを挿入可能にした。【選択図】図７
2004329951.tif 000002
【特許請求の範囲】
【請求項１】
ほぼ半球状の面に形成したマスク本体（１）の両側に顔面を弾性挟持する挟持部（２）を延設して、当該マスク本体（１）の内側に沿ってガーゼ、シート等のあてものを押え保持する保持具（３）を面ファスナー又はスナップ等（４、４ａ）の係止部材で着脱自在に取り付けたことを特徴とする鼻及び口に密着しない多目的マスク。
【請求項２】
ほぼ半球状の面に形成したマスク本体（１）の両側を内側、もしくは外側にカールして、耳かけ用の紐通し部を設け、当該マスク本体（１）の内側に沿ってガーゼ、シート等のあてものを押え保持する保持具（３）を面ファスナー又はスナップ等（４、４ａ）の係止部材で着脱自在に取り付けたことを特徴とする鼻及び口に密着しない多目的マスク。
【請求項３】
ほぼ半球状の面に形成したマスク本体（１）の内側に沿って着脱可能に設けた透孔を有した保持具（３）とから成り、上記マスク本体と保持具の間にガーゼ、不織布等のあてものを挿入可能にし、従来の耳かけ紐付きマスクと組み合わせても使用出来ることを特徴とする鼻及び口に密着しない多目的マスク。
【発明の詳細な説明】
【技術分野】
【０００１】  本発明は、マスクに関するもので、ガーゼ等のあてものが保持具によって、顔面に密着することなく、保湿を必要とする場合もガーゼを濡らして着用しても顔が濡れて不快感も無く、喉や鼻に適当な湿気を与え風邪を予防、治療する事が出来て、冬季は防寒にもなる。また喘息等の薬剤シートを挿入することも可能で、鼻及び口に密着しない多目的に使用出来るマスクに関するものである。
【背景技術】
【０００２】  従来のマスクも喉に湿気を与えるものや喘息の薬を挿入する物など又は、顔面に密着しないように工夫されたものなどあるが複雑な構造で、本考案のように顔面に密着することなく、濡れたあてものを装着しても不快感が無く、保湿効果が得られ、しかも任意のあてものを保持出来る構造のマスクは無い。【０００３】
【実用新案文献】
公開平１−１０１５５８
本体と口との間に空間はあるが、任意のあてものを保持することは出来ない。【特許文献】    特開２００−３１２７７２４  （Ｐ２０００−３１２７２４Ａ）
本体と口との間に空間はあるが、当て物を保持する保持具は無い。バンダナを使用した本体を後頭部で結んで装着するものであるから、強く締め付けなければ脱落する。又就寝時には後頭部の結び部分が不快を与える等の不都合がある。
上記のような文献があるが、本発明とは基本的に異なるものである。
【発明の開示】
【発明が解決しようとする課題】
【０００４】  風邪で鼻孔が乾燥した時や、鼻詰まりのために口で呼吸して咽喉を痛めた場合に湿気があれば楽になるので、本発明は保湿効果を得る為に水又は液剤を含浸させた、あてものをマスク本体の内側に添わせ、該シートが顔面に密着しないように保持具で保持し、不快感が無く楽に呼吸できるマスクを提供するものである。保湿効果があり風邪の予防、治療に又ガーゼにハーブを入れて癒し効果等多目的に使用できるマスクを提供するものである。
【課題を解決するための手段】
【０００５】  前述の目的を達成する為に、本発明の鼻及び口に密着しない多目的マスクは、ほぼ半球状の面に形成したマスク本体（１）の両側に顔面を弾性挟持する挟持部（２）を延設して、当該マスク本体（１）の内側に沿ってガーゼ、シート等のあてものを押え保持する透孔を有した保持具（３）を面ファスナー又はスナップ等（４、４ａ）の係止部材で着脱自在に取り付けたことを特徴とする鼻及び口に密着しない多目的マスクを提供するものである。使用時は挟持部を持って本体を押し広げて顔面を両側から弾性挟持させるものである。請求項１のマスクにおいては、ひもを使用していないので耳が痛くならない。【０００６】  請求項２に示すものは、ほぼ半球状の面に形成したマスク本体（１）の両側を内側もしくは外側にカールして、耳かけ用の紐通し部を設け、当該マスク本体（１）の内側に沿ってガーゼ、シート等のあてものを押え保持する保持具（３）を面ファスナー又はスナップ等（４、４ａ）の係止部材で着脱自在に取り付けた。【０００７】  請求項３のものは、ほぼ半球状の面に形成したマスク本体（１）の内側に沿って着脱可能に設けた透孔を有した保持具（３）とから成り、上記マスク本体と保持具の間にガーゼ、不織布等のあてものを挿入可能にしたことを特徴とするものであって、本体１の両横に耳かけ用の孔を設ける。尚本体１の横、両端又は上下を内側に折り曲げた物にすれば、保持具とあてものを嵌め込むこともできる。従来からある耳かけ紐のあるマスクの内側をネットもしくは布で額縁に仕上げて、そこへ請求項３の本発明品を挿入し組み合わせて使用する。又従来の紐付きマスクに請求項２のものや請求項３のものを内側に置いて組み合わせて使用することも出来る。この場合は耳かけ紐はいらない。外側の紐を掛けるので、使用中は落ちる事が無いが従来のマスクの内側下の方に浅いポケットを設けておくと本体を係止しやすくなるポケットが深いと口に当たる。請求項３の本体１は、緩やかな円錐面、椀形でも良いのであって保持具３は、本体１と、ほぼ同形で若干小さく其の内側でガーゼやシート等のあてものを保持出来るものであればよい。
【発明の効果】
【０００８】  以上述べたように本発明品は風邪で鼻孔が乾燥した時や、鼻詰まりのために口で呼吸して咽喉を痛めた場合に湿気があれば楽になるので、本発明は保湿効果を得る為に水又は液剤を含浸させたシートをマスク本体の内側に添わせ、該シートが顔面に密着しないので、不快感が無く楽に呼吸ができ快適な保湿効果が得られ、睡眠時の着用も外れにくく、取り外し可能な保持具により任意のあて布やシートを保持することが出来るもので、保湿により風邪の予防、治療、花粉症、喘息の治療、ハーブを挿入することにより癒し効果等、多目的に使用できるものである。勿論水分を含まないガーゼでも良い。
【発明を実施する為の最良の形態】
以下本発明の実施の形態を図示しながら説明する。
【０００９】  図１に示すものは、ポリエチレン・テレフタレート（ＰＥＴ）・ポリプロピレン等の合成樹脂でほぼ半球状の面に形成したマスク本体１の両側に顔面を弾性挟持する挟持部２を延設して成る本発明の正面図である。点線で図示した２は、顔面を弾性挟持する挟持部である。４は、図２に示す保持具３を止める面ファスナー又はスナップ等の係止部材凸の方である。５は鼻の左右に明ける通気孔であって２個図示したが、設ける位置や数は適宜である。
本体の下方は少し内側に湾曲に曲げてある方が、ガーゼ、シート等のあてものがすべり落ちるのを防ぎ顔面にも沿いやすい。本発明で言うほぼ半球状とは、頂部にいくほど円周が狭まるという意味である。又ほぼ半球状の面で周縁を顔に添うように形成しても良い。
【００１０】  図２に示すものは、保持具であって、ガーゼ又は芳香シートなどのあてものを本体１と、この保持具３とで保持するものである。保持具３は本体１の内面に沿うように湾曲させ、長孔６、６を設けている。長孔を図示したが、丸孔でも、ネット状でも保持具全体をパンチングしたものでも良い。
【００１１】  図３に示すものは図１の斜視図であって、図１には記していないが符号７，８は本体１頂点の鼻に当たる部分と挟持部の頬に接触する面に、クッション材のパット又はシートを粘着したもので、肌を保護すると共に圧迫感を和らげるものである。又本体１の頂点と鼻との隙間をパット７で埋めることも出来る。
【００１２】  図４に示すものは、本体の４凸と保持具の４ａ凹の係止具で止めた請求項１の正面図であるが本体１と保持具３との間に少し空間が必要である。この空間にあてものを保持する。
【００１３】  図５に示すものは、係止部材４の取り付け方法の一例であって、本体の係止具４凸の取り付け方法であるが、押しピンのようなものを、外側から差込み内側で、針を包むように小さな円形のもので固定し取り付ける。保持具の４ａ凹みは図６に示すように、４の頭の円形より少し小さめの孔を明けて、孔を中心に図示のような切込みを入れておくと、４凸の頭が入り易く抜け難い効果がある。図示していないが係止部材４、４ａを面ファスナーにする場合は本体の内側と保持具の外側とで止める。
【００１４】  図７は、着用した図である。着用するときは、両手で左右の挟持部を持って本体を押し広げ頬にあてがうと、挟持部が頬を弾性挟持する。
【００１５】  図８は、請求項２の実施例の斜視図であって保持具を取り付けた図である。適宜通気孔を設ける。図では外側へカールしたが内側でも良い。
【００１６】  図９は、図８の装着図である。本体１の横、両端を外側へカールし、紐の通し部を設けてある。
【００１７】  図１０は、請求項３の実施例であって、通気孔を適宜設ける。図では本体１は保持具より大きいが、布等のマスクと組み合わせて使用する場合は保持具とほぼ同寸でも良い。
【００１８】  図１１は、図１０の使用例を示す一例である。布、もしくは不織布のマスクの内側を多少伸び縮みするポリエステルのネット又は布で額縁に仕立て、そこから図１１のマスクを挿入する。挿入口の方を小さくすることは言うまでも無い。
【００１９】  以上、図示した本体１と保持具３の材質はポリエチレン・テレフタレート（ＰＥＴ）・ポリプロピレン等の合成樹脂が適するが、本発明の効果が得られるものであれば、これらの材質にこだわらない。色は透明でも良いが、多種の色があればカラフルで楽しいものである。図面はもっぱら解説のためのものであって、本発明の技術的範囲を限定するものではない。本体中心部の保持具と重なる部分を、パンチングしたもの、もしくは他の素材例えば布等を組み合わせてもよい。尚、図示した保持具３は請求項２、３とも請求項１のものと同一のものである。
【図面の簡単な説明】
【００２０】
【図１】本発明の実施例に係る正面図である。
【図２】保持具の実施例に係る正面図であって透孔を設けてある。
【図３】本発明品の実施例に係る斜視図である。
【図４】保持具を備えた本発明の実施例に係る正面図である。
【図５】本体に保持具を取り付ける為の係止部の、実施例である。
【図６】保持具であって、本体に取り付ける為の係止部の実施例を示す。
【図７】本発明品の着用例である。
【図８】図８は、請求項２の実施例の斜視図である。
【図９】図９は、図８の装着図である。
【図１０】図１０は、請求項３の実施例の斜視図である。
【図１１】図１１は、図１０の使用例を示す一例である。
【符号の説明】
【００２１】        １‥‥本体マスク
２‥‥挟持部
３‥‥保持具
４，４ａ‥‥係止部材（面ファスナー、ホック等）
５‥‥通気孔
６‥‥長孔
７‥‥クッション材
８‥‥クッション材
９‥‥紐通し部
【図１】
2004329951.tif 000003
【図２】
2004329951.tif 000004
【図３】
2004329951.tif 000005
【図４】
2004329951.tif 000006
【図５】
2004329951.tif 000007
【図６】
2004329951.tif 000008
【図７】
2004329951.tif 000009
【図８】
2004329951.tif 000010
【図９】
2004329951.tif 000011
【図１０】
2004329951.tif 000012
【図１１】
2004329951.tif 000013